(57)【要約】【課題】  バイオ認証電子カードの提供。【解決手段】  指紋入力押圧エリア、設定完成確認装置、データ出力端子、電源入力端子、指紋・体温・皮膚電位検出装置、ＣＰＵ、電源供給装置、指示装置等のユニットで構成され、カード発行単位が個人身分データを保存したバイオ認証電子カードを個人に交付した後、指紋入力押圧エリアと指紋・体温・皮膚電位検出装置により個人の一つ以上の指紋サンプルデータを内部に保存でき、更に設定完成確認装置を起動して指紋サンプルデータの永久保存の形態を形成し、使用時に関係する個人指紋識別カードリーダー装置と結合されて、個人の指紋・体温・皮膚電位等のバイオデータとの対比によりエラー無しと判断された後、電子カードによる取引機能を起動でき、これにより取引の安全と完全なカードの盗用、複製、偽造防止を達成し、大幅に個人身分データ漏洩の危険を減らす。【選択図】        図２
0003107749.tif 000002
【実用新案登録請求の範囲】
【請求項１】
バイオ認証電子カードにおいて、外部に指紋入力押圧エリア、設定完成確認装置、データ出力、入力端子、電源入力端子を具え、内部に、指紋・体温・皮膚電位検出装置、ＣＰＵ、電源供給装置、指示装置を具え、
該指紋入力押圧エリアは、個人指紋データを電子カード内に入力し保存するためのチャネルを提供し、
該設定完成確認装置は、個人指紋データが電子カードに入力並びに保存された後に形成される一つ或いは複数の指紋サンプルデータを消去、変更、或いは取り出し不能とするのに用いられ、
該データ出力、入力端子は、関係する個人指紋認証カードリーダー装置との接続導通に用いられ、並びに計算、対比等を必要とするデータをその間で往復伝送するのに供され、  該電源入力端子は、電子カードと関係する個人指紋認証カードリーダー装置が結合される時、個人指紋認証カードリーダー装置より電子カードが必要とする電力源を導入し、
該指紋・体温・皮膚電位検出装置は、指紋入力押圧エリアがキャプチャした個人の一つ或いは複数の指紋サンプルデータを受け取り、それを保存し、
該ＣＰＵは、保存、演算、制御、計時、記憶等の機能を具え、これにより各ユニット間の相互作用の制御、処理を達成し、
該電源供給装置は外部電源を電子カード内に導入するのに供され、
該指示装置は、設備が正確に指紋データを保存したことを指示し、
個人指紋データを対比後に誤り無しと判断した後に、個人身分データの取り出し或いは書き込み機能を起動でき、最終安全取引の目的を達成することを特徴とする、バイオ認証電子カード。
【請求項２】
請求項１記載のバイオ認証電子カードにおいて、ＣＰＵがデータ保存ユニット、データ処理ユニット、時間設定ユニットを具えたことを特徴とする、バイオ認証電子カード。
【請求項３】
請求項１記載のバイオ認証電子カードにおいて、電源供給装置が接触式及び非接触感応式の二種類の電力供給タイプを包含することを特徴とする、バイオ認証電子カード。
【考案の詳細な説明】
【技術分野】
【０００１】
本考案はバイオ認証電子カードに係り、個人の指紋・体温・皮膚電位等バイオデータに対して検出、保存、対比、演算、判断、出力する機能を具え、適時にその機能を起動して個人身分データの取り出し或いは書き込みを行ない、安全な取引を行なえるようにする最終目的を達成するバイオ認証電子カードに関する。
【背景技術】
【０００２】
人類が取引を始めて以来、取引する双方はいずれも等価の貨物で取引を行ない、早期の物々交換から金属貨幣（金、銀、銅貨等）による取引、更に紙幣、小切手から今日のプラスチック、電子貨幣（金融カード、クレジットカード、キャッシュカード等）へと進化し、これにより貨物の売買行為中に等価の金額を利用して取引する目的を達成している。プラスチック、電子貨幣が流通する前は、全ての物品の取引過程はいずれも等価の貨幣により行なわれ、金額或いは価値が比較的大きな場合は、不必要な問題が形成されやすかった。例えば、換算が容易でなかったり、おつりの問題、携帯の不便、遺失しやすく、盗難に遇い易い等の問題があった。プラスチック、電子貨幣の出現は、完全にこのような問題を解決し、現代の物品取引の主流な貨幣となっている。
【０００３】
上述のプラスチック／電子貨幣は、商業取引行為以外に、類似の技術においても各種の授権行為の証明として用いられ、例えば、出入りの管理、コンピュータデータベース或いは機密文献等のアクセスの身分認証カード、商品に使用されるポイントカード等各種の電子カードに運用されている。どのようなタイプの電子カードであっても、その代表する意義は商業上の取引行為である。ただし、電子カードは硬貨や紙幣に代わり取引に使用されうるが、偽造が非常に容易であり、且つ製造コストも低く、市場には各種の偽造カードが出回っている。データによると、台湾の一年のカード盗難による被害総額は３００億円以上であり、各種電子カードの偽造しやすさの厳重さを暴露している。すでに一部の電子カードはチップ偽造防止設計を採用しているが、ほとんどは磁気條の段階であり、その安全性が憂慮される。近年、相当に厳重な金融カードの盗難事件が相次ぎ、泥棒が簡単に金融カードの磁気條の暗号を解読して盗難の目的を達成している。このため現段階の主要な目標は、いかに電子カードの安全偽造防止措置を講じるかであり、これが業界の早急に解決しなければならない重要な課題の一つとなっている。
【０００４】
現行の電子カードはバーコード、磁気條或いはチップ内に暗号が保存され、使用上は、カードリーダーを通して身分の認証と授権が行なわれ、取引が行なわれる。但しこのような防護方式は犯罪者にとっては難しいものではなく、これにより電子カードの偽造防止能力を高めるため、近年、欧米の先進国家等ではバイオ認証技術の電子カードへの転用が研究されている。いわゆるバイオ認証技術は自動認証の範疇の一環であり、この技術は各種の生物の生理或いは行為の表現特徴に対して認証を行ない、この特徴は無二のものであり、且つ時間と共に改変しない。このような特性を運用し更に光電、自動制御、デジタル或いはアナログ方式を組み合わせて開発された認証技術には、現在、指紋認証、虹膜認証、掌型認証、声紋認証、ＤＮＡ認証等があり、そのうち、指紋認証技術が最も成熟している。
【０００５】
以下は現行の各種電子カード及び装置の優劣の比較表である。
【表１】
0003107749.tif 000003
以上の表から分かるように、バイオ認証技術は電子カード  の偽造防止技術のよりどころとなる傾向にある。ただし網膜（虹膜）認証機は体積が大きく、必要な取り付け空間が大きく、且つぐらつかず、光線が十分であることが要求される。ＤＮＡ鑑定は、往々にして日数がかかるが、正確度が高い。しかし即刻身分認証を必要とする場所には使用できず、且つ医療単位でなければ実施できない。掌認証機は被検者の体重等の改変により常時データを改修しなければ正確な結果が得られない。これらと比較すると、指紋認証は実施可能で且つ最良の選択といえる。一般に指紋認証機はカードを発行する必要がなく、読み取り設備を固定位置に取り付けるだけでよく、機器授権を取得した個人が指定された手指を規定位置に押しつけると、読み取り装置が指紋画像と特徴を読み取り、さらに先にデータベースに保存した指紋サンプルと比較し、符合すれば更に読み取り装置に設置された数字ボタンで取引或いは身分再確認を行なうことができる。
【０００６】
個人指紋サンプル画像及び特徴の保存には大量の記憶装置及びチップの急速な演算能力が必要であるため、不確定の指紋データに対して大きな指紋データベース中で逐一サーチして更に対比しなければならず、相当な時間がかかる。もあしネットワーク方式で対比データを伝送するなら、多くの人が同時に使用する時に、ネットワークの混み合いをもたらし、待ち時間がかかり不便であり、特に個人の指紋データを他人のファイルに保存することは漏洩の危険があり、ゆえにこのような事前に指紋ファイルを収集する方法は妥当でなく、安全でなく、また不経済である。
【考案の開示】
【考案が解決しようとする課題】
【０００７】
上記従来の技術を鑑みると、高い偽造防止能力を具えた電子カードが今後のカード発行単位の主要な要求となり、偽造者が極めて高い代価を支払うか或いは根本的に模造できない電子カードだけが市場での競争力を有することが分かる。ゆえに、本考案はカード所持者のみが使用でき、並びに盗用或いは複製ができないバイオ認証電子カードを提供するものである。
【０００８】
ゆえに本考案の主要な目的は、一種のバイオ認証電子カードを提供することにあり、それは、個人の指紋・体温・皮膚電位等バイオデータに対して検出、対比、演算、判断、出力の機能を具え、適時にその機能を起動し、個人身分データの取り出し或いは書き込みを実行し、安全取引の最終目的を達成できるものとする。
【課題を解決するための手段】
【０００９】
請求項１の考案は、バイオ認証電子カードにおいて、外部に指紋入力押圧エリア、設定完成確認装置、データ出力、入力端子、電源入力端子を具え、内部に、指紋・体温・皮膚電位検出装置、ＣＰＵ、電源供給装置、指示装置を具え、
該指紋入力押圧エリアは、個人指紋データを電子カード内に入力し保存するためのチャネルを提供し、
該設定完成確認装置は、個人指紋データが電子カードに入力並びに保存された後に形成される一つ或いは複数の指紋サンプルデータを消去、変更、或いは取り出し不能とするのに用いられ、
該データ出力、入力端子は、関係する個人指紋認証カードリーダー装置との接続導通に用いられ、並びに計算、対比等を必要とするデータをその間で往復伝送するのに供され、  該電源入力端子は、電子カードと関係する個人指紋認証カードリーダー装置が結合される時、個人指紋認証カードリーダー装置より電子カードが必要とする電力源を導入し、
該指紋・体温・皮膚電位検出装置は、指紋入力押圧エリアがキャプチャした個人の一つ或いは複数の指紋サンプルデータを受け取り、それを保存し、
該ＣＰＵは、保存、演算、制御、計時、記憶等の機能を具え、これにより各ユニット間の相互作用の制御、処理を達成し、
該電源供給装置は外部電源を電子カード内に導入するのに供され、
該指示装置は、設備が正確に指紋データを保存したことを指示し、
個人指紋データを対比後に誤り無しと判断した後に、個人身分データの取り出し或いは書き込み機能を起動でき、最終安全取引の目的を達成することを特徴とする、バイオ認証電子カードとしている。
請求項２の考案は、請求項１記載のバイオ認証電子カードにおいて、ＣＰＵがデータ保存ユニット、データ処理ユニット、時間設定ユニットを具えたことを特徴とする、バイオ認証電子カードとしている。
請求項３の考案は、請求項１記載のバイオ認証電子カードにおいて、電源供給装置が接触式及び非接触感応式の二種類の電力供給タイプを包含することを特徴とする、バイオ認証電子カードとしている。
【考案の効果】
【００１０】
本考案のバイオ認証電子カードは、個人バイオデータ中の指紋・体温・皮膚電位等を利用して電子カードの取引、個人身分データ取り出し、書き込み機能の起動の根拠となし、これにより、使用上、徹底した安全取引機能と完全な盗用及び複製、偽造防止を達成し、即ち個人が不注意から遺失しても盗用される心配がなく、個人身分データの漏洩の危険を減らすことができ、ゆえに極めて良好な防護機能と偽造防止能力を具え、これにより個人権益の損害を防止することができ、ゆえに本考案は高度な技術の下で創作された優れた考案であるといえる。
総合すると、本考案は物品形状構造装置上、新規性を有し、且つ周知の各種のプラスチック、電子貨幣の各種の欠点を改良し、使用上、その機能が向上され、実用性を有し、実用新案登録の要件を具備している。
【考案を実施するための最良の形態】
【００１１】
本考案のバイオ認証電子カードは、一般のプラスチック或いは電子貨幣の有する携帯に便利な機能を有するほか、指紋入力押圧エリア、設定完成確認装置、データ出力端子、電源入力端子、指紋・体温・皮膚電位検出装置、ＣＰＵ、電源供給装置、指示装置等のユニットで構成されている。カード発行単位が個人身分データを保存したバイオ認証電子カードを個人に交付した後、指紋入力押圧エリアと指紋・体温・皮膚電位検出装置により個人の一つ以上の指紋サンプルデータを内部に保存でき、更に設定完成確認装置を起動して指紋サンプルデータの永久保存の形態を形成し、使用時に関係する個人指紋識別カードリーダー装置と結合されて、個人の指紋・体温・皮膚電位等のバイオデータとの対比によりエラー無しと判断された後、電子カードによる取引機能を起動でき、これにより取引の安全と完全なカードの盗用、複製、偽造防止を達成し、大幅に個人身分データ漏洩の危険を減らす。
【実施例１】
【００１２】
図１、２に示されるように、本考案のバイオ認証電子カードは、電子カード１の外部に、指紋入力押圧エリア１０、設定完成確認装置２０、データ出力、入力端子３０、４０、電源入力端子５０を具え、電子カード１の内部に、指紋・体温・皮膚電位検出装置６０、ＣＰＵ７０、電源供給装置８０、指示装置９０を具えてなる。
【００１３】
該指紋入力押圧エリア１０は、個人指紋データを電子カード１内に入力し保存するためのチャネルを提供し、実際の運用上は、一度に一つ或いは複数の指紋サンプルデータを入力しそれを保存でき、特定指紋データが盗用されたり或いは認識不明瞭となる状況の発生を防止する。
【００１４】
該設定完成確認装置２０は、個人指紋データが電子カード１に入力並びに保存される時、該設定完成確認装置２０が起動された後にその保存する個人の一つ或いは複数の指紋サンプルデータを消去、変更、或いは取り出し不能とする。
【００１５】
該データ出力、入力端子３０、４０は、関係する個人指紋認証カードリーダー装置との接続導通に用いられ、並びに計算、対比等を必要とするデータをその間で往復伝送する。
【００１６】
該電源入力端子５０は、電子カード１と関係する個人指紋認証カードリーダー装置が結合される時、関係する個人指紋認証カードリーダー装置と接続導通され並びに個人指紋認証カードリーダー装置より電子カード１が必要とする電力源を導入する。
【００１７】
該指紋・体温・皮膚電位検出装置６０は、指紋入力押圧エリア１０がキャプチャした個人の一つ或いは複数の指紋サンプルデータを受け取り、それを保存する。
【００１８】
該ＣＰＵ７０は、少なくとも、データ保存ユニット、データ処理ユニット、時間設定ユニットを具え、並びに保存、演算、制御、計時、記憶等の機能を具え、これにより各ユニット間の相互作用の制御、処理を達成する。
【００１９】
該電源供給装置８０は、接触式及び非接触感応式の二種類の電力供給タイプを包含し、実際に使用する個人指紋認証カードリーダー装置に対して選択的に使用される。
【００２０】
該指示装置９０は、設備が正確に指紋データを保存したことを指示する。
【００２１】
以上で構成されて、個人指紋データに誤りがないと判断すると、個人身分データの取り出し或いは書き込みの伝送機能を起動でき、最終取引目的を獲得する。
【００２２】
実際の操作上は、個人が最初に該バイオ認証電子カードを使用する時、まず個人指紋データを電子カード１の指紋入力押圧エリア１０より入力し、指紋・体温・皮膚電位検出装置６０が個人の一つ或いは複数の指紋サンプルデータをＣＰＵ７０内に保存し、続いて設定完成確認装置２０を起動し、永久に該個人指紋サンプルデータを保存する。取引実行時には、電子カード１と関係する個人指紋認証カードリーダー装置が結合され、また個人の指紋を利用し、電子カード１機能起動のモードを実行し、予め保存された個人指紋サンプルデータの受信、感応並びに対比の後、誤りがないと判断するか、或いは外部装置より関係する個人指紋認証カードリーダー装置を通して新しいデータを電子カード１内に書き込み、こうして安全取引の過程を完成する。
【００２３】
一部の関係する個人指紋認証カードリーダー装置はデータ読み取り方面では、全体の電子カード１に完全埋め込みの結合形式を採用しており、このとき、電子カード１内のＣＰＵ７０の計時機能は特定時間内で電子カード１が手部指紋より離れた後に、入力された個人指紋データを保存できる。
【図面の簡単な説明】
【００２４】
【図１】本考案の好ましい実施例の外観図である。
【図２】本考案の好ましい実施例のブロック構造図である。
【符号の説明】
【００２５】
１  電子カード                １０  指紋入力押圧エリア
２０  設定完成確認装置        ３０  データ出力端子
４０  データ入力端子          ５０  電源入力端子
６０  指紋・体温・皮膚電位検出装置
７０  ＣＰＵ
８０  電源供給装置
９０  指示装置
【図１】
0003107749.tif 000004
【図２】
0003107749.tif 000005
【手続補正書】
【提出日】平成16年11月15日(2004.11.15)
【手続補正１】
【補正対象書類名】実用新案登録請求の範囲
【補正対象項目名】全文
【補正方法】変更
【補正の内容】
【実用新案登録請求の範囲】
【請求項１】
バイオ認証電子カードにおいて、外部に指紋入力押圧エリア、設定完成確認装置、データ出力、入力端子、電源入力端子を具え、内部に、指紋・体温・皮膚電位検出装置、ＣＰＵ、電源供給装置、指示装置を具え、
該指紋入力押圧エリアは、電子カードの短辺に区画された矩形エリアであり、内部の指紋、体温、皮膚電位検出装置に対応し接続され、個人指紋データを電子カード内に入力し保存するためのチャネルを提供し、
該設定完成確認装置は、機械式に起動され且つ電子カードの任意の角に設置される電気装置であり、個人指紋データが最初に電子カードに入力並びに保存された後に形成される一つ或いは複数の指紋サンプルデータを再度消去、変更、或いは取り出し不能とするのに用いられ、
該データ出力、入力端子は、電子カードの短辺に設けられて指紋入力押圧エリアと対応し、並びに内部のＣＰＵに接続され、関係する個人指紋認証カードリーダー装置との接続導通に用いられ、並びに計算、対比等を必要とするデータをその間で往復伝送するのに供され、
該電源入力端子は、正と負の二つの端子を具え、且つデータ出力、入力端子と隣り合い、並びに内部電源供給装置に接続され、電子カードと関係する個人指紋認証カードリーダー装置が結合される時、個人指紋認証カードリーダー装置より電子カードが必要とする電力源を導入し、
該指紋・体温・皮膚電位検出装置は、上方が外部の指紋入力押圧エリアに対応し接続され、及び内部のＣＰＵに接続され、指紋入力押圧エリアがキャプチャした個人の一つ或いは複数の指紋サンプルデータを受け取り、電気信号に変換した後にＣＰＵに伝送して各種の分析、対比、判定作業に供し、
該ＣＰＵは、各種ロジック演算、算術演算、及び保存、演算、制御、計時、計数、記憶等の機能を具え、且つ各種の、指紋、体温、電位等のデータのアクセス、対比、判定、前後順序及びデータ進出等を制御する命令を保存でき、
該電源供給装置は、外部の電源入力端子に接続され、並びに内部の指紋、体温、皮膚電位検出装置及びＣＰＵに接続され、並びに外部電源を電子カード内に導入するのに供され、内部の各回路装置に適合する電圧要求に変換し、
該指示装置は、ＣＰＵに接続され、電子カードの指紋データ保存状態の完成、及び電子カードの使用状態を表示し、
以上で構成され、個人指紋データを対比後に誤り無しと判断した後に、個人身分データの取り出し或いは書き込み機能を起動でき、最終安全取引の目的を達成することを特徴とする、バイオ認証電子カード。
【請求項２】
請求項１記載のバイオ認証電子カードにおいて、ＣＰＵがデータ保存ユニット、データ処理ユニット、時間設定ユニットを具えたことを特徴とする、バイオ認証電子カード。
【請求項３】
請求項１記載のバイオ認証電子カードにおいて、電源供給装置が接触式及び非接触感応式の二種類の電力供給タイプを包含することを特徴とする、バイオ認証電子カード。
【手続補正２】
【補正対象書類名】明細書
【補正対象項目名】０００９
【補正方法】変更
【補正の内容】
【０００９】
請求項１の考案は、バイオ認証電子カードにおいて、外部に指紋入力押圧エリア、設定完成確認装置、データ出力、入力端子、電源入力端子を具え、内部に、指紋・体温・皮膚電位検出装置、ＣＰＵ、電源供給装置、指示装置を具え、
該指紋入力押圧エリアは、電子カードの短辺に区画された矩形エリアであり、内部の指紋、体温、皮膚電位検出装置に対応し接続され、個人指紋データを電子カード内に入力し保存するためのチャネルを提供し、
該設定完成確認装置は、機械式に起動され且つ電子カードの任意の角に設置される電気装置であり、個人指紋データが最初に電子カードに入力並びに保存された後に形成される一つ或いは複数の指紋サンプルデータを再度消去、変更、或いは取り出し不能とするのに用いられ、
該データ出力、入力端子は、電子カードの短辺に設けられて指紋入力押圧エリアと対応し、並びに内部のＣＰＵに接続され、関係する個人指紋認証カードリーダー装置との接続導通に用いられ、並びに計算、対比等を必要とするデータをその間で往復伝送するのに供され、
該電源入力端子は、正と負の二つの端子を具え、且つデータ出力、入力端子と隣り合い、並びに内部電源供給装置に接続され、電子カードと関係する個人指紋認証カードリーダー装置が結合される時、個人指紋認証カードリーダー装置より電子カードが必要とする電力源を導入し、
該指紋・体温・皮膚電位検出装置は、上方が外部の指紋入力押圧エリアに対応し接続され、及び内部のＣＰＵに接続され、指紋入力押圧エリアがキャプチャした個人の一つ或いは複数の指紋サンプルデータを受け取り、電気信号に変換した後にＣＰＵに伝送して各種の分析、対比、判定作業に供し、
該ＣＰＵは、各種ロジック演算、算術演算、及び保存、演算、制御、計時、計数、記憶等の機能を具え、且つ各種の、指紋、体温、電位等のデータのアクセス、対比、判定、前後順序及びデータ進出等を制御する命令を保存でき、
該電源供給装置は、外部の電源入力端子に接続され、並びに内部の指紋、体温、皮膚電位検出装置及びＣＰＵに接続され、並びに外部電源を電子カード内に導入するのに供され、内部の各回路装置に適合する電圧要求に変換し、
該指示装置は、ＣＰＵに接続され、電子カードの指紋データ保存状態の完成、及び電子カードの使用状態を表示し、
以上で構成され、個人指紋データを対比後に誤り無しと判断した後に、個人身分データの取り出し或いは書き込み機能を起動でき、最終安全取引の目的を達成することを特徴とする、バイオ認証電子カードとしている。
請求項２の考案は、請求項１記載のバイオ認証電子カードにおいて、ＣＰＵがデータ保存ユニット、データ処理ユニット、時間設定ユニットを具えたことを特徴とする、バイオ認証電子カードとしている。
請求項３の考案は、請求項１記載のバイオ認証電子カードにおいて、電源供給装置が接触式及び非接触感応式の二種類の電力供給タイプを包含することを特徴とする、バイオ認証電子カードとしている。
【手続補正３】
【補正対象書類名】明細書
【補正対象項目名】００１３
【補正方法】変更
【補正の内容】
【００１３】
該指紋入力押圧エリア１０は、個人指紋データを電子カード１内に入力し保存するためのチャネルを提供し、外部より入力された指紋データを入力を受け取った後に内部のＣＰＵ７０に伝送し、並びにそれを保存させるのに用いられ、実際の運用上は、一度に一つ或いは複数の指紋サンプルデータを入力しそれを保存でき、特定指紋データが盗用されたり或いは認識不明瞭となる状況の発生を防止する。実際の方法は、矩形の電子カードの短辺の辺縁に正方形の平滑なエリアが画定され、且つこのエリアの面積が一般人の親指の指紋面を完全にカバーするものとされる。また、電子カード１内部にあって指紋入力押圧エリア１０に対応する部分に、関係する検出回路、装置及び電気回路が設けられ、それはいずれも電子カード１のケース内に密封され且つ該指紋入力押圧エリア１０と隔離され、外部の接触が防止され保護効果を具備する。
【手続補正４】
【補正対象書類名】明細書
【補正対象項目名】００１４
【補正方法】変更
【補正の内容】
【００１４】
該設定完成確認装置２０は、機械方式で起動する電気回路装置であり、個人指紋データが電子カード１に入力並びに保存される時、該設定完成確認装置２０が起動された後にその保存する個人の一つ或いは複数の指紋サンプルデータを消去、変更、或いは取り出し不能とする。実際の方法上は、設定完成確認装置２０が電子カード１の任意の角に設置され、本実施例では指紋入力押圧エリア１０と同側の短辺の一角に設定される。使用時には、個人が電子カード１の最初の設定の全てのステップを完成した後、その角を切断すれば、該電子カード１の検出回路はこの設定完成確認装置２０が起動後であることを知ることができ、その内部のＣＰＵ７０が保存回路を切断し、それ以上指紋入力押圧エリア１０より受け取ったバイオ認識データを保存させず、僅かに入力される指紋データに対して対比作業を行なう。
【手続補正５】
【補正対象書類名】明細書
【補正対象項目名】００１５
【補正方法】変更
【補正の内容】
【００１５】
該データ出力、入力端子３０、４０は、電子カード１の一側辺縁に設置され、並びに指指紋入力押圧エリア１０に対応し、それは電気回路により内部のＣＰＵ７０と接続され、且つ自由に関係する個人指紋認証カードリーダー装置と接続され、並びに計算、対比等を必要とするデータをその間で往復伝送する。実施上は、該データ出力、入力端子３０、４０は、接触性が良好で、耐磨耗で、酸化しにくいめっき金銅パラジウムで形成された棒状接触片形態とされ、個人の指紋、皮膚電位、体温等のバイオ認識データの信号がＣＰＵ７０を通して伝送され且つ対比して正確であると判定された時、このデータ出力、入力端子３０、４０が外部カードリーダーとＣＰＵ７０の間のブリッジとされ、並びにデータの流通、互換と更新を行なう。
【手続補正６】
【補正対象書類名】明細書
【補正対象項目名】００１６
【補正方法】変更
【補正の内容】
【００１６】
該電源入力端子５０は、正と負の両端子を具え、データ出力、入力端子３０、４０と隣り合い且つ内部の電源供給装置８０と接続され、実際の実施上は、接触性が良好で、耐磨耗で、酸化しにくいめっき金銅パラジウムで形成された棒状接触片形態とされ、これにより、電子カード１と関係する個人指紋認証カードリーダー装置が結合される時、関係する個人指紋認証カードリーダー装置と接続導通され並びに個人指紋認証カードリーダー装置より電子カード１の各ユニットが必要とする電力源を導入する。
【手続補正７】
【補正対象書類名】明細書
【補正対象項目名】００１７
【補正方法】変更
【補正の内容】
【００１７】
該指紋・体温・皮膚電位検出装置６０は、指紋入力押圧エリア１０の下方に対応するよう設けられ、指紋入力押圧エリア１０がキャプチャした個人の一つ或いは複数の指紋サンプルデータを受け取り、それをＣＰＵ７０に保存する。本実施例では、薄片状表面ボンディング型の半導体チップが採用され、ＱＦＰ１００方式でパッケージされてなり、その表面は指紋入力押圧エリア１０に接続され、四周に平均して１００対のソルダーピンが配置され且つ表面実装（ＳＭＴ）方式で回路板上に接続され、並びにＣＰＵ７０、電源供給装置８０、指示装置９０と完全な機能を構成する。電子カード１が正常な作業状態下で、個人の手指が指紋入力押圧エリア１０に放置される時、この指紋、体温、皮膚電位検出装置６０が指紋特徴等のデータ信号を電気信号に変換し、更にＣＰＵ７０に伝送し、信号の各種分析、対比と判定作業に供する。
【手続補正８】
【補正対象書類名】明細書
【補正対象項目名】００１８
【補正方法】変更
【補正の内容】
【００１８】
該ＣＰＵ７０は、少なくとも、データ保存ユニット、データ処理ユニット、時間設定ユニットを具え、並びに各種のロジック演算、算術演算及び保存、演算、制御、計時、計数、記憶等の機能を具え、これにより各ユニット間の相互作用の制御、処理を達成する。本実施例では、シングルチップのマイクロプロセッサ（ＭＣＵ）の類の集積回路（ＩＣ）が採用され、その内部に各種の指紋、地温、皮膚電位データのアクセス、対比、判定、前後順序、データ進出等の命令が保存され、本電子カード１の全ての動作はいずれもＣＰＵ７０に制御管理され、上述の各項の制御命令は予めＣＰＵ７０内に記録されたファームウエアが転化してなる。
【手続補正９】
【補正対象書類名】明細書
【補正対象項目名】００１９
【補正方法】変更
【補正の内容】
【００１９】
該電源供給装置８０は、上述の内部の各ユニットと接続され並びに必要な電力を提供し、それは、接触式及び非接触感応式の二種類の電力供給タイプを包含し、実際に使用する個人指紋認証カードリーダー装置に対して選択的に使用される。この電源供給装置８０を通して電源入力端子４０がカードリーダーより入力された単一電源が各回路装置に適合する異なる電圧要求に適合するよう変換される。
【手続補正１０】
【補正対象書類名】明細書
【補正対象項目名】００２０
【補正方法】変更
【補正の内容】
【００２０】
該指示装置９０は、設備が正確に指紋データを保存したことを指示する。これはチップ式表面実装型ＬＥＤで組成され、その理由は、体積が小さく、輝度が十分で、取り付け易く、耐振動性が良好である等の長所による。電子カード１の設定完成確認装置２０が未起動前（角が未切断）の時は、指紋バイオ信号の検出、読み込み、保存状態を受け入れる状態にあり、該指示装置９０は特定の点滅方式で表示し、また設定完成確認装置２０が起動（角が切断される）の後、その点滅方式はまた異なり、即ち指示装置９０は異なる点滅方式で電子カード１が異なる状態にあることを表示する。